(57)【特許請求の範囲】
【請求項１】
傘布に設けられた既存の傘バンドの基端部に対し着脱可能に取り付けられる識別体と、
一端がこの識別体と接続される新規の傘バンドと、を備え、
前記識別体は、前記既存の傘バンドを収容する収容部とこの収容部の開口端を開閉可能に設けられる蓋部から成る箱体と、この箱体に取り付けられる装飾体と、から構成され、
前記新規の傘バンドの他端は、前記基端部の留め部材に対し符合する第１の留め部材を備えることを特徴とする傘留め具。
【請求項２】
前記識別体は、前記箱体又は前記装飾体のうちの少なくとも一方に前記第１の留め部材に対し符合する第２の留め部材を備え、
前記第１の留め部材は、前記基端部の留め部材に代えて、前記第２の留め部材に留められることを特徴とする請求項１記載の傘留め具。
【請求項３】
傘布に設けられた既存の傘バンドの基端部の留め部材に対し符合する第３の留め部材を備えて着脱可能に取り付けられる識別体と、
一端がこの識別体と接続される新規の傘バンドと、を備え、
前記識別体は、前記既存の傘バンドを収容する収容部とこの収容部の開口端を開閉可能に設けられる蓋部から成る箱体と、この箱体に取り付けられる装飾体と、この装飾体又は前記箱体のうちの少なくとも一方に備えられる第２の留め部材と、から構成され、
前記新規の傘バンドの他端は、前記第２の留め部材に対し符合する第１の留め部材を備えることを特徴とする傘留め具。
【請求項４】
傘布に設けられた既存の傘バンドの基端部の留め部材に対し符合する第１の留め部材を介して留められる第１の識別体と、前記既存の傘バンドの先端部の留め部材に対し符合する第２の留め部材を介して留められる第２の識別体の少なくともいずれか一方を備え、
前記第１の識別体は、前記第１の留め部材が設けられる面の反対面に第３の留め部材が備えられ、
前記第２の識別体は、前記第２の留め部材が設けられる面の反対面に第４の留め部材が備えられ、
この第３の留め部材は、前記既存の傘バンドの先端部の留め部材又は前記第４の留め部材に留められ、
前記第４の留め部材は、前記既存の傘バンドの基端部の留め部材又は前記第３の留め部材に留められることを特徴とする傘留め具。
【請求項５】
前記第１の識別体又は前記第２の識別体は、前記基端部の留め部材と前記先端部の留め部材の間に形成される直状部の少なくとも一部を覆う被覆部材を備えることを特徴とする請求項４記載の傘留め具。
【請求項６】
前記第１の識別体又は前記第２の識別体は、ネームプレートであることを特徴とする請求項４又は請求項５に記載の傘留め具。
【発明の詳細な説明】
【技術分野】
【０００１】
本発明は、既存の傘に装着可能な傘留め具に関し、特に、傘の装飾性や視認性を向上させ得る傘留め具に関する。
【背景技術】
【０００２】
一般に、雨傘や日傘等の傘は、不使用時には傘布を中棒に巻きつけて傘布に設けられる傘バンドで固定することが多い。このような傘バンドは、長細い帯状体で、傘布に縫着される基端部に留め部材が設けられ、先端部には基端部の留め部材に係止可能な留め部材が設けられており、帯状体部分を傘の中棒の周方向に巻き付けて留め部材同士を係止することによって傘布を固定することができる。しかしながら、従来の傘バンドは傘布と同色、同柄であったり、あるいは実用面を重視した簡素なデザインのものが多く、使用者は所有物に対する自己の識別性を捨てなければならないのと同時に自分の好みを反映することもできなかった。このような傘バンドにおいては、より使い易くするために視認性を改良したり、また、自己主張のために装飾性を付与したりすることについて検討されている。
【０００３】
例えば、特許文献１には、「かさに付けるワッペン」という名称で、夜間使用においても安全性が高く、ファッション性にも優れた傘に付けるワッペンに関する考案が開示されている。
この特許文献１に開示された考案は、傘バンドを挟むように接着され、表面に夜光塗料を塗布したものである。
ワッペンは合成樹脂や金属で形成されたハート、果物、木の葉やアルファベット等の各種の形状に形成されており、表面には夜光塗料が塗布されている。そして、傘バンドの一部を両側から挟むようにして傘バンドに接着されている。したがって、特に、視界が悪くなる雨天時の夜間においては、夜行塗料によってワッペンが光るので周囲から認知され易くなり、使用者は安全に歩行することが可能となる。また、ワッペンは様々な形状に形成されているので、使用者は好みに応じて選定することもでき、ファッション性においても優れたものとなっている。
【０００４】
また、特許文献２には、「傘に取り付ける多目的アクセサリー」という名称で、雨傘や日傘等の傘に取り付けて、使用者の個性を演出可能な傘に取り付ける多目的アクセサリーに関する発明が開示されている。
この特許文献２に開示された発明は、先端にクリップを備え、このクリップに連結される連結具の終端にマスコットを吊設したものである。
そして、傘布の任意の位置においてクリップで把持することによって傘にマスコットを設置することができ、使用者のセンスや個性を演出したり、他の傘との識別を可能にしたりすることが可能となる。また、マスコットが揺れることによって視認性が高まるので、周囲の注意喚起が図られ、その結果、使用者の安全面にも配慮したものとなる。
【０００５】
さらに、特許文献３には、「傘ホールディングテープ」という名称で、雨で濡れた傘布を片手で簡単に巻いて固定可能で、他の傘との識別が容易な傘ホールディングテープに関する発明が開示されている。
この特許文献３に開示された発明は、帯状体の両端部にそれぞれ指が挿入可能な二個のポケットと備え、帯状体の両端部において二個のポケットの裏面側には面ファスナーがそれぞれ設置されているものである。
そして、傘ホールディングテープの使用に際しては、帯状体の両端部のポケットにそれぞれに親指や人差し指等を挿入し、折り畳んだ傘の傘布及び中棒を軽く握るようにして傘を回転させて、両端部の面ファスナーを押し付けることによって簡単に傘布を固定することができる。したがって、使用者は雨で濡れた傘布であっても衣服等を濡らすことなく素早く傘布を巻着することができる。また、傘ホールディングテープには、印刷を施すことも可能であるので、装飾性や視認性も具備しており、実用面においてもデザイン面においても優れたものである。
【０００６】
最後に、特許文献４には、「傘」という名称で、傘の使用時に傘バンドが固定可能な傘に関する考案が開示されている。
この特許文献４に開示された考案は、傘布と中棒を備え、傘バンドを傘布に係止可能な可動連結装置を有するものである。
そして、可動連結装置は、傘布に設置される粘着部と傘バンドの端部に設置される面ファスナーであり、傘を開いた際には、傘バンドの端部の面ファスナーを傘布の粘着部に粘着させることによって傘バンドを傘布に固定することができる。また、可動連結装置は、傘布に設置されるボタン孔と傘バンドの端部に設置されるボタンとすることも可能で、同様に、傘を開いた際には、傘バンドの端部のボタンを傘布のボタン孔に係止することによって傘バンドを傘布に固定することができる。さらに、傘バンドには反射材を用いることも可能であり、傘の使用時に揺動して邪魔になる傘バンドを固定するとともに、反射材によって夜間歩行の安全性を確保することを可能にしている。
【先行技術文献】
【特許文献】
【０００７】
【特許文献１】実開昭５７−５０２１１号公報
【特許文献２】特開２００１−３４６６１７号公報
【特許文献３】特開２００９−６６４０２号公報
【特許文献４】登録実用新案第３１７０２４５号公報
【発明の概要】
【発明が解決しようとする課題】
【０００８】
しかしながら、特許文献１に記載された従来の技術では、様々なデザインのワッペンを傘バンドに接着することによって装飾性を備えたものとなっているが、ワッペンは着脱自在でなく傘バンドに固着されているので、ワッペンを簡単に交換することが困難であり、気分に合わせてワッペンを変更したり、また、他の傘に付け替えたりすることができないという課題があった。また、傘の破損とともにワッペンを廃棄しなければならず繰り返し使用することができないという課題もあった。
【０００９】
また、特許文献２に記載された従来の技術では、広げた傘において、クリップで簡易に傘布に装着することによって装飾性が付与されしかも視認性も具備される構成であるが、不使用時に傘を折り畳んだ場合には、装着する傘布の位置にもよるが、傘布から垂れ下がり見栄えが悪くなるという課題があった。また、クリップによる簡易な把持であるので、外れ易くなり紛失や盗難の可能性が高くなるという課題もあった。さらに、歩行する幼児の使用においては揺れるマスコットによって注意散漫になる可能性があり、必ずしも安全性が高いものではないという課題もあった。
【００１０】
そして、特許文献３に記載された従来の技術では、実用性、装飾性及び視認性を具備したものであるが、傘ホールディングテープは不使用時において傘と係止される構成ではないので、傘とは別に携行する必要があり、不注意で携行を忘れたり、かばん等から出すのに時間を要したり、また、紛失したりするという課題があった。
【００１１】
最後に、特許文献４に記載された従来の技術では、傘の使用時に不要となる傘バンドを固定し、反射材を設けて視認性を確保しているが、傘の不使用時においては、この傘バンドは従来の簡素な構成のものと変わらず、装飾性や視認性に欠けているという課題があった。
【００１２】
本発明はかかる従来の事情に対処してなされたものであり、既存の傘の傘バンドに着脱自在に装着可能で、傘の使用時においても不使用時においても視認性及び装飾性を十分に発揮できる傘留め具を提供することを目的とする。
【課題を解決するための手段】
【００１３】
上記目的を達成するため、請求項１記載の発明である傘留め具は、傘布に設けられた既存の傘バンドの基端部に対し着脱可能に取り付けられる識別体と、一端がこの識別体と接続される新規の傘バンドと、を備え、識別体は、既存の傘バンドを収容する収容部とこの収容部の開口端を開閉可能に設けられる蓋部から成る箱体と、この箱体に取り付けられる装飾体と、から構成され、新規の傘バンドの他端は、基端部の留め部材に対し符合する第１の留め部材を備えるものである。
上記構成の傘留め具では、識別体は傘布に設けられた既存の傘バンドを収容して、視認性や装飾性の劣る既存の傘バンドを排除するように作用する。その一方で、識別体はその既存の傘バンドの基端部を利用して着脱が自在となるように作用する。識別体に接続される新規の傘バンドは既存の傘バンドに代わって閉じた傘を束ねて留めるように作用する。その際に、新規の傘バンドの第１の留め部材は、既存の傘バンドの基端部の留め部材に符合することで、既存の傘バンドを利用するように作用する。そして、識別体の装飾体は、箱体に取り付けられて装飾性を示すように作用する。
【００１４】
また、請求項２に記載の発明である傘留め具は、請求項１記載の傘留め具において、識別体は、箱体又は装飾体のうちの少なくとも一方に第１の留め部材に対し符合する第２の留め部材を備え、第１の留め部材は、基端部の留め部材に代えて、第２の留め部材に留められるものである。
上記構成の傘留め具では、請求項１記載の発明の作用に加えて、識別体の箱体又は装飾体のうち少なくとも一方に第２の留め部材を設けて、それが第１の留め部材に対し符合するように構成させることで、新規の傘バンドの第１の留め部材を既存の傘バンドの基端部の留め部材に留める必要がなくなるという作用を有する。すなわち、収容部は基端部の留め部材も一緒に収容可能に作用する。
また、本請求項２に記載の傘留め具は、自身の傘バンドを自身の識別体に留めるという作用を有する。
【００１５】
そして、請求項３に記載の発明である傘留め具は、傘布に設けられた既存の傘バンドの基端部の留め部材に対し符合する第３の留め部材を備えて着脱可能に取り付けられる識別体と、一端がこの識別体と接続される新規の傘バンドと、を備え、識別体は、既存の傘バンドを収容する収容部とこの収容部の開口端を開閉可能に設けられる蓋部から成る箱体と、この箱体に取り付けられる装飾体と、この装飾体又は箱体のうちの少なくとも一方に備えられる第２の留め部材と、から構成され、新規の傘バンドの他端は、第２の留め部材に対し符合する第１の留め部材を備えるものである。
上記構成の傘留め具では、概ね請求項２に記載の発明の作用と同様であるが、識別体に第３の留め部材が備えられており、これを傘布に設けられた既存の傘バンドの基端部の留め部材に符合させて着脱が自在となるようにしているので、傘留め具は、この第３の留め部材と既存の傘バンドの基端部の留め部材で、着脱自在に固定されるように作用する点が異なる。
従って、装飾体又は箱体のうちの少なくとも一方に備えられる第２の留め部材が、新規の傘バンドの他端に設けられる第１の留め部材に対し符合するように作用するのも同様であり、本請求項の傘留め具が、自身の傘バンドを自身の識別体に留めるという作用を有するのも同様である。
【００１６】
そして、請求項４に記載の発明である傘留め具は、傘布に設けられた既存の傘バンドの基端部の留め部材に対し符合する第１の留め部材を介して留められる第１の識別体と、既存の傘バンドの先端部の留め部材に対し符合する第２の留め部材を介して留められる第２の識別体の少なくともいずれか一方を備え、第１の識別体は、第１の留め部材が設けられる面の反対面に第３の留め部材が備えられ、第２の識別体は、第２の留め部材が設けられる面の反対面に第４の留め部材が備えられ、この第３の留め部材は、既存の傘バンドの先端部の留め部材又は第４の留め部材に留められ、第４の留め部材は、既存の傘バンドの基端部の留め部材又は第３の留め部材に留められるものである。
上記構成の傘留め具では、第１と第３の留め部材を備える第１の識別体及び第２と第４の留め部材を備える第２の識別体の少なくともいずれか一方を備えて、第１の識別体は、傘布に設けられた既存の傘バンドの基端部の留め部材に対し符合する第１の留め部材を介して留められるように作用し、第２の識別体は、既存の傘バンドの先端部の留め部材に対し符合する第２の留め部材を介して留められるように作用する。そして、第１の識別体の第３の留め部材は、第２の識別体が存在しないことを想定して既存の傘バンドの先端部の留め部材に留められ、第２の識別体が存在することを想定して第４の留め部材に留められるように作用する。第２の識別体の第４の留め部材も同様である。
従って、第１と第２の識別体が存在する場合には、第３と第４の留め部材は互いに留めることができればよく、これらが既存の傘バンドの先端部、基端部の留め部材に符合する必要はない。
【００１７】
そして、請求項５に記載の発明である傘留め具は、請求項４に記載の傘留め具において、第１の識別体又は第２の識別体は、基端部の留め部材と先端部の留め部材の間に形成される直状部の少なくとも一部を覆う被覆部材を備えるものである。
上記構成の傘留め具では、請求項４に記載の発明の作用に加えて、第１の識別体又は第２の識別体において被覆部材は、既存の傘バンドの基端部の留め部材と先端部の留め部材の間に形成される直状部の少なくとも一部を覆うように作用する。
【００１９】
最後に、請求項６に記載の発明である傘留め具は、請求項４又は請求項５に記載の傘留め具において、第１の識別体又は第２の識別体は、ネームプレートであるものである。
上記構成の傘留め具では、請求項４又は請求項５に記載の発明の作用に加えて、第１の識別体又は第２の識別体は、ネームプレートであり、使用者の名前を表示するように作用する。
【発明の効果】
【００２０】
本発明の請求項１記載の傘留め具では、識別体の箱体の収容部に既存の傘バンドを収容するので、視認性や装飾性が劣って目立たない既存の傘バンドを取り外すことなく隠すことが可能である。しかも、識別体に接続される新規の傘バンドを傘の中棒の周方向に沿って巻着して新規の傘バンドの他端に設置される第１の留め部材を既存の傘バンドの基端部の留め部材に符合させることによって傘布を結束することができる。また、識別体には装飾体が取り付けられているので、装飾性を示すことができ、使用者は自身の好みを反映することができる。また、装飾体によって視認性が付与されるので、傘立てに置いてある場合やあるいは使用している場合でも他の傘との識別が容易となる。そして、識別体において既存の傘バンドの基端部に着脱可能に取り付けられるので、使用者は必要に応じて装着したり外したりすることができる。
【００２１】
また、本発明の請求項２に記載の傘留め具では、第１の留め部材は、既存の基端部の留め部材を用いずに、第２の留め部材に留められて、傘布を結束することができる。したがって、既存の傘バンドの留め部材が破損している場合においては、既存の傘バンドの留め部材を用いなくても傘布を結束することが可能となる。さらに、傘バンドの留め部材も収容部に収容することが可能で、より既存の傘バンドを隠すことも可能である。
【００２２】
そして、本発明の請求項３に記載の傘留め具では、概ね請求項２に記載の発明と同様の効果を発揮するが、傘留め具の第３の留め部材と既存の傘バンドの基端部の留め部材は着脱可能に取り付けられるので、着脱が容易となり、使用者は簡単に傘留め具の交換が可能となる点が異なる。
また、識別体の箱体の収容部に既存の傘バンドを収容して、識別体に接続される新規の傘バンドを傘の中棒の周方向に沿って巻着して新規の傘バンドの第１の留め部材を第２の留め部材に符合させることによって傘布を結束することができる点は同様である。そして、識別体に設けられる装飾体によって装飾性を示すことが可能となり、使用者は様々なデザインの装飾体を選定することができる。さらに、識別体においては、視認性が高く、不使用時の傘であっても使用時の傘であっても他の傘との識別が容易となる点も同様である。
【００２３】
そして、本発明の請求項４に記載の傘留め具では、第１又は第２の識別体がいずれも留め部材が設けられる面と反対面にも留め部材が設けられていることから、既存の傘バンドの基端部あるいは先端部の留め部材に留められたとしても、さらに、もうひとつの留め部材が存在しているので、いずれか一方が設けられている場合には、それが設けられている基端部あるいは先端部とは異なるもう一方の部分（基端部に設けられている場合には先端部、先端部に設けられている場合には基端部）の留め部材と符合させて識別体を固定することが可能である。従って、既存の傘バンドの基端部、先端部のいずれの留め部材も利用可能であり、装飾性や視認性を高めながら、既存の傘バンドを再利用可能という優れた効果を発揮することができる。
また、第１、第２の識別体の両方が設けられている場合には、第３と第４の留め部材を留めることが可能であり、この場合にも既存の傘バンドの基端部と先端部の留め部材はすべて利用されており、使用時の傘及び不使用時の傘両方において装飾性や視認性を高めながら、既存の傘バンドを再利用可能という優れた効果は同様に発揮可能である。
さらに、第１、第２の識別体の両方が設けられている場合には、第３と第４の留め部材同士を留めることができるので、既存の傘バンドの留め部材との符合は問題とならず、留め部材の自由度を向上させることも可能である。
これらの効果の他、それぞれに識別体が着脱可能であることから識別体を使用者の好みや使用時の気分に合わせて自由に選定して同じ傘でも異なる識別体を取り付けたり取り外したりすることができる。
【００２４】
そして、本発明の請求項５に記載の傘留め具では、請求項４に記載の発明の効果に加えて、第１の識別体又は第２の識別体は、既存の傘バンドの基端部の留め部材と先端部の留め部材の間に形成される直状部の少なくとも一部を覆う被覆部材を備えているので、既存の傘バンドを広範囲に亘って被覆することができ、視認性に極めて優れたものとなる。特に、傘布を結束した際に、傘の周方向に広範囲に視認性を高めることが可能であり、傘立てから使用者の傘を発見する際や傘を差している児童の中から自分の子供を見つけるような場合にも便利である。
【００２６】
最後に、本発明の請求項６に記載の傘留め具では、請求項４又は請求項５に記載の発明の効果に加えて、第１の識別体又は第２の識別体は、ネームプレートであるので、使用者の名前を表示することができ、他の傘との違いを明確にして、迅速な識別を可能にし、また、盗難防止を図ることが可能となる。特に、幼稚園児や小学生等は学校指定の同類の傘を用いることが多く、傘に氏名の記載欄がないことも多いので、園児や児童間での誤認を防止したり、紛失後の発見時等に所有者が明示されるので便利である。
【図面の簡単な説明】
【００２７】
【図１】（ａ）は第１の実施の形態に係る傘留め具の概念図であり、（ｂ）は同じく傘留め具の識別体の概念図であり、（ｃ）は同じく傘留め具の側面図である。
【図２】（ａ）は第１の実施の形態に係る傘留め具の第１の変形例の概念図であり、（ｂ）は傘留め具の第２の変形例の側面図である。
【図３】（ａ）は第２の実施の形態に係る傘留め具の概念図であり、（ｂ）は同じく傘留め具の第１の変形例を示す概念図であり、（ｃ）は同じく傘留め具の第２の変形例を示す概念図である。
【図４】（ａ）は第３の実施の形態に係る傘留め具の概念図であり、（ｂ）は同じく傘留め具の側面図である。
【図５】（ａ）は第４の実施の形態に係る傘留め具の概念図であり、（ｂ）は同じく傘留め具の変形例を示す概念図である。
【発明を実施するための形態】
【００２８】
以下に、本発明の第１の実施の形態に係る傘留め具を図１に基づき説明する。（特に、請求項１に対応）
図１（ａ）は、第１の実施の形態に係る傘留め具の概念図であり、（ｂ）は同じく傘留め具の識別体の概念図であり、（ｃ）は同じく傘留め具の側面図である。
図１（ａ）において、傘留め具１は、識別体２と新規の傘バンド３を有し、そして、識別体２は、装飾体４と箱体５を備え、既存の傘バンド６の基端部７に着脱可能に取り付けられている。識別体２の装飾体４は、視覚的に優れた飾りであり、本第１の実施の形態においては、リボンを採用しているが、リボン以外にも、花、果物、野菜、動物、昆虫や文字、幾何学的図形等の形状を象ったものや図案化したもの等を用いることができ、装飾性や視認性を備えるものであれば特に限定されるものではない。また、装飾体４の下方には箱体５が設けられており、詳細については後述するが、箱体５は略直方体形状で内部に既存の傘バンド６を収容可能になっている。
そして、新規の傘バンド３は、長細い帯状体であり、一端は識別体２に接続されて、他端には第１の留め部材９が設けられている。この第１の留め部材９は、既存の傘バンド６の基端部７に設けられる留め部材８に対し符合するように構成されており、識別体２の箱体５に収容される既存の傘バンド６に代わって新規の傘バンド３を傘布に巻着して留め部材８に第１の留め部材９を留めることによって傘布を結束することができる。
なお、新規の傘バンド３は、傘布を結束可能であれば、形状は特に限定されないが、本第１の実施の形態のように、通常の傘バンドのような単なる帯状体でなく、円形体が連続して接続されるような形状として装飾性や視認性を具備させることも可能であり、新規の傘バンド３に装飾性や視認性を付与することによって傘の使用時あるいは不使用時（傘布の結束時）に関わらず識別体２の装飾体４の装飾効果や識別効果をさらに高めることが可能である。また、既存の傘バンド６を箱体５に収容して隠すことができるので、既存の傘バンド６を傷つけたり取り外したりすることなく、新規の傘バンド３の装飾性や視認性をより際立たせることが可能である。
【００２９】
次に、図１（ｂ）において、識別体２の箱体５は、収容部１０と蓋部１１を備えており、収容部１０の内部は既存の傘バンド６を収容することが可能で、蓋部１１は収容部１０の開口端を開閉可能とするように連結部材１２によって支持されている。また、収容部１０及び蓋部１１には、蓋部１１が収容部１０の開口端を閉じたときに符合して挿通孔を構成する切欠部１３ａ及び切欠部１４ａと、切欠部１３ｂ及び切欠部１４ｂがそれぞれ形成されている。
そして、収容部１０には、既存の傘バンド６が先端部から長さ方向に数回折り畳まれて、収容部１０に収容可能な長さに調整されて収容され、切欠部１３ａ及び切欠部１４ａの符合によって形成される挿通孔から、傘布に縫着される既存の傘バンド６の基端部７及び留め部材８が収容部１０の外部に露出するように構成されている。
なお、箱体５において、図中では連結部材１２が奥側になるように既存の傘バンド６を収容しているが、連結部材１２が手前側になるように既存の傘バンド６を収容しても同様に既存の傘バンド６の基端部７及び留め部材８は、切欠部１３ｂ及び切欠部１４ｂの符合によって形成される挿通孔から箱体５の外部に露出するように構成させることも可能であり、すなわち、識別体２の箱体５においては、既存の傘バンド６に対する装着方向を二方向選定することができる。但し、いずれの場合も新規の傘バンド３が接続される方向を留め部材８とは逆の方向にしておかなければ、新規の傘バンド３を傘布に巻着した後で第１の留め部材９を留め部材８に留めることが難しいので留意する必要がある。
このように傘留め具１では、識別体２の箱体５の収容部１０に既存の傘バンド６を収容させて蓋部１１を閉じることによって、既存の傘バンド６に傘留め具１を着脱可能に取り付けることができる。なお、箱体５の形状は、図示される収容部１０及び蓋部１１によって形成される略直方体に限定されるものではなく、内部に既存の傘バンド６を収容可能であれば如何なる形状であっても構わない。また、蓋部１１とは、収容部１０の開口端を開閉可能に覆うものを言い、その形状について限定するものではない。さらに、蓋部１１には収容部１０に連続して一体に形成されるものも含まれる。例えば、収容部１０を袋形状に形成する場合では、その開口端を巾着袋のように紐で締めたり、ファスナーを用いて締めたりするような場合も概念されるが、そのような場合には巾着袋状に紐で締められている箇所やファスナー部分が蓋部１１に該当し、すなわち、収容部１０の一部が蓋部１１として機能する。
また、収容部１０と蓋部１１の連結方法や蓋部１１の開閉方向についても特に限定されず、蓋部１１は収容部１０の開口端を開閉可能に設けられればどのような連結であっても構わない。本第１の実施の形態においては、略正方形状の面を備える箱体５であるので、いずれの辺に連結部材１２を設置しても、開口した場合の外観が同様となるが、長辺と短辺を備える形状の箱体５として、例えば、かまぼこ形状の箱体５を用いる場合では、半円柱の部分を収容部１０、長方形の部分を蓋部１１として、連結部材１２は収容部１０及び蓋部１１の短辺側あるいは長辺側のいずれにも設置することが可能であり、短辺側と長辺側に設置した場合では開口した際の外観が異なるので、傘留め具１の全体的な装飾性を考慮して開閉方向を選択することができる。
そして、箱体５を形成する材料についても、本第１の実施の形態においては、プラスチックを用いて形成しているが、アルミニウム等の金属や木材を用いたり、前述のように布を用いたりして形成することも可能であり、特に限定されない。
また、本第１の実施の形態において、切欠部１３ａ及び切欠部１４ａと、切欠部１３ｂ及び切欠部１４ｂの符合による挿通孔は、既存の傘バンド６の基端部７を固定することなく、挿通を容易に可能として基端部７の損傷を防止しているが、切欠部の形状を変更して挿通孔の隙間を狭くしたり、隙間に滑り止めを設置したりして、基端部７がずれ難いようにすることもできる。さらに、基端部７が収容部１０及び蓋部１１に挟持されて傷み易くなるものの、切欠部１３ａ，１３ｂ及び切欠部１４ａ，１４ｂを設置しないようにすることもできる。
そして、収容部１０への既存の傘バンド６の収容の形態についても特に限定されるものでなく、図示するように折り畳んでもよいし、既存の傘バンド６の先端部から丸めるようにしてもよい。
また、本第１の実施の形態においては、装飾体４は蓋部１１に設置されているが、収容部１０に設置するようにすることも可能である。さらに、箱体５自体に装飾性を具備させて、装飾体４と箱体５を一体に形成することも可能である。
【００３０】
続いて、図１（ｃ）において、傘留め具１を側面からみると、新規の傘バンド３は識別体２の装飾体４と箱体５に介設されて、面ファスナーによって固定されている。すなわち、新規の傘バンド３の一端の上面には面ファスナー１５が設けられ、この面ファスナー１５に符合する面ファスナー１７が装飾体４の下面に設けられており、また、新規の傘バンド３の一端の下面には面ファスナー１６が設けられ、この面ファスナー１６に符合する面ファスナー１８が箱体５の蓋部１１の上面に設けられている。一般的な面ファスナーにおいては、フック面を備える一の面とループ面を備える他の面の組み合わせによって符合が可能であるので、面ファスナー１５と面ファスナー１７、及び面ファスナー１６と面ファスナー１８は、いずれか一方がフック面で、他方がループ面で構成される。あるいは、一の面において、フックとループの両方が設けられる面ファスナーを用いる場合ではフック面とループ面の組み合わせは必要なく、いずれの面ファスナーもフックとループの両方が設けられる面ファスナーを用いるとよい。
なお、本第１の実施の形態においては、固定手段に面ファスナーを用いたが、例えば、ホック（スナップボタン）等を用いて固定することも可能であり、固定手段は特に限定されるものではない。もちろん、固定手段は新規の傘バンド３を装飾体４と箱体５に着脱可能に固定するものでなくとも、例えば固定手段として接着剤による接着層を用いて着脱が不可能に固着されるような場合でもよい。さらに、前述の装飾体４と箱体５を一体に形成する場合も含まれるが、装飾体４は箱体５の蓋体１１あるいは収容部１０に新規の傘バンド３を介することなく直接固定手段を用いて固定してもよく、その際には新規の傘バンド３は別個に箱体５に固定手段を用いて固定されることになる。それらの場合でも固定手段は着脱可能であってもよいし、不可能に固着されてもよいことは言うまでもない。
また、符号１９は係止部材であり、蓋部１１が収容部１０の開口端を閉じたときに係止して開口しないように固定するものである。
【００３１】
次に、第１の実施の形態に係る傘留め具の変形例について図２を参照しながら説明する。（特に、請求項２及び請求項３に対応）
なお、図２において、図１と同様の構成については同じ符号を付し、その構成についての詳細な説明は省略する。
図２（ａ）は、第１の実施の形態に係る傘留め具の第１の変形例の概念図であり、（ｂ）は傘留め具の第２の変形例の側面図である。
図２（ａ）において、第１の変形例に係る傘留め具２０は、識別体２の装飾体４の上面に第２の留め部材２１を具備しており、この第２の留め部材２１は新規の傘バンド３の他端に設置される第１の留め部材９に対し符合するものである。したがって、傘留め具２０では、識別体２の箱体５に既存の傘バンドを収容して既存の傘バンド６に装着すると、傘を閉じたときの傘布の結束は新規の傘バンド３の他端の第１の留め部材９と第２の留め部材２１を留めることによって行うことができる。すなわち、既存の傘バンドの基端に設置される留め部材を用いずに傘布を結束することができ、その結果、箱体５には既存の傘バンド６の基端部をも可能な限り収容して隠すことが可能となる。したがって、傘留め具２０では、既存の傘バンド６全体を概ね隠すことができるので、傘留め具２０による装飾性や視認性を既存の傘バンド６によって阻害されることなく、全面的に示すことができる。
【００３２】
また、新規の傘バンド３の他端に設置される第１の留め部材９は、装飾体４に設置される第２の留め部材２１に対し符合すればよく、既存の傘バンド６の基端部７の留め部材８に対する符合を考慮する必要がないので、既存の傘バンド６の基端部７の留め部材８の形態に左右されず、傘留め具２０において、ホック（スナップボタン）にしたり面ファスナーにしたりすることができ、選択の自由度が広がる。そして、既存の傘バンド６の基端部７の留め部材８が破損している場合においても破損した留め部材に関係なく、傘留め具２０による傘布の結束を行うことができる。
なお、図中では、第２の留め部材２１は識別体２の装飾体４の上面に設置しているが、識別体２の箱体５に設置することも可能である。
なお、装飾体４あるいは箱体５と新規の傘バンド３の接続についての固定手段は、既に第１の実施の形態で説明した内容と同様である。
【００３３】
次に、図２（ｂ）を用いて第２の変形例に係る傘留め具について説明する。図２（ｂ）の傘留め具２３では、その側面を示しているが、装飾体４の上面の第２の留め部材２１に加えて、箱体５の下面に第３の留め部材２４を備えている。そして、この第３の留め部材２４は、図示していないが、既存の傘バンド６の基端部７の留め部材８に対し符合するように形成されている。
したがって、傘留め具２３は、第３の留め部材２４を既存の傘バンド６の基端部７の留め部材８に留めて、既存の傘バンド６に着脱可能に装着することができる。このような装着は、第３の留め部材２４と既存の傘バンド６の基端部７の留め部材８を留めたり外したりするだけで簡単に行うことができる。また、箱体５の収容部１０には第１の実施の形態と同様に既存の傘バンド６が収容されているので、傘留め具２３は、より一層既存の傘バンド６に対する装着を強固にすることが可能であり、容易に外れることがなく落下や紛失を防止することができる。
なお、第３の留め部材２４の設置場所は、箱体５の下面に限定されるものではなく、識別体２による装飾性や視認性の発揮が可能であれば、設置が可能である限りいずれでもよい。また、装飾体４あるいは箱体５と新規の傘バンド３の接続についての固定手段は、既に第１の実施の形態で説明した内容と同様である。
【００３４】
このように構成された本第１の実施の形態及び変形例においては、既存の傘バンドを識別体の箱体に収容することによって、既存の傘バンドに簡単に装着することができる。そして、新規の傘バンドの第１の留め部材と、既存の傘バンドの基端部の留め部材を留めると、閉じた傘の傘布を結束することが可能となる。したがって、視認性や装飾性に劣る既存の傘バンドのほぼ全体を箱体に収容して隠蔽し、識別体の装飾体によって優れた装飾性や視認性を発揮させることができる。また、使用者は様々なデザインの装飾体から好みのものを自由に選択することができ、さらに必要に応じて装着したり外したりすることもできる。そして、似通った傘の中に置かれても、他の傘との違いが明瞭であるので、使用者は、自分の傘と他人の傘を迅速且つ容易に識別することができ、過誤による紛失を防止することができる。
また、変形例においては、傘留め具の識別体の箱体又は装飾体の少なくとも一方に新規の傘バンドの第１の留め部材に対し符合する第２の留め部材を備えているので、傘留め具は、既存の傘バンドの基端部の留め部材に関係なく、傘留め具自身で傘布を結束することができる。さらに、既存の傘バンドの基端部の留め部材も含めて箱体に収容することができ、既存の傘バンドを概ね全て隠して、傘留め具の装飾性や視認性を全面的に発揮させることができる。この効果は傘の不使用時（傘布の結束時）のみならず、使用時においても同様である。
そして、識別体には、既存の傘バンドの基端部の留め部材に対し符合する第３の留め部材を具備させることも可能であり、この場合、この第３の留め部材と既存の傘バンドの基端部の留め部材を留めるだけで、簡単且つより強固に傘留め具を既存の傘バンドに装着することができる。
【００３５】
続いて、本発明の第２の実施の形態に係る傘留め具を図３に基づき説明する。（特に、請求項４に対応）
図３（ａ）は、第２の実施の形態に係る傘留め具の概念図であり、（ｂ）は同じく傘留め具の第１の変形例を示す概念図であり、（ｃ）は同じく傘留め具の第２の変形例を示す概念図である。
図３（ａ）において、本第２の実施の形態に係る傘留め具は、ハート形状を有する第１の識別体２５で構成され、既存の傘バンド６の基端部７に装着されている。この第１の識別体２５は、反対面に第１の留め部材（図示せず）を具備しており、この第１の留め部材は、既存の傘バンド６の基端部７に設けられる留め部材に符合するように構成されており、第１の留め部材を基端部の留め部材に留めることによって装着することができる。
また、第１の識別体２５は、上面に第３の留め部材２６が設置されており、この第３の留め部材２６は、既存の傘バンド６の先端部２７に設けられる留め部材２８に対し符合するように構成されている。したがって、本第２の実施の形態においては、閉じた傘の傘布は既存の傘バンド６を巻き付けて、既存の傘バンド６の先端部２７の留め部材２８を第１の識別体２５の第３の留め部材２６に留めることによって結束することができる。
【００３６】
次に、図３（ｂ）において、第２の実施の形態の第１の変形例に係る傘留め具は、星形に形成された第２の識別体２９で構成され、既存の傘バンド６の先端部２７に装着されている。既存の傘バンド６の先端部２７には留め部材２８が設置されており、第２の識別体２９は反対面に留め部材２８に対し符合する第２の留め部材を備えて、この第２の留め部材を先端部２７の留め部材２８に留めて、既存の傘バンド６に固定される。なお、図中の留め部材２８は、裏面側を示しており、第２の識別体２９の第２の留め部材に対し符合する表面側は図示していない。また、第２の実施の形態に係る第１の識別体２５あるいは第２の識別体２９に関する反対面とは、既存の傘バンド６側に向く面を意味しており、上面とは逆に既存の傘バンド６側に向いていない面を意味している。従って、図３（ａ）では第１の識別体２５の上面が見えており、図３（ｂ）では第２の識別体２９の反対面が見えていることになる。
また、第２の識別体２９は上面に第４の留め部材（図示せず）を具備しており、この第４の留め部材は、既存の傘バンド６の基端部７の留め部材８に対し符合するように構成されているので、既存の傘バンド６を傘布に巻き付けて既存の傘バンド６の基端部７の留め部材８に第２の識別体２９の第４の留め部材を留めることによって傘布を結束することができる。
【００３７】
続いて、図３（ｃ）において、第２の実施の形態の第２の変形例に係る傘留め具は、ハート形の第１の識別体２５と星形の第２の識別体２９で構成されており、第１の識別体２５は既存の傘バンド６の基端部７に、第２の識別体２９は既存の傘バンド６の先端部２７にそれぞれ装着されている。
第１の識別体２５は、図３（ａ）の場合と同様に、反対面に既存の傘バンド６の基端部７の留め部材に対し符合する第１の留め部材を具備して、この第１の留め部材を既存の傘バンド６の基端部７の留め部材に留めて固定している。また、第２の識別体２９は、図３（ｂ）の場合と同様に、反対面に既存の傘バンド６の先端部２７の留め部材２８に対し符合する第２の留め部材を具備して、この第２の留め部材を既存の傘バンド６の先端部２７の留め部材２８に留めることによって固定されている。
そして、第１の識別体２５には、上面に第３の留め部材２６が設置されており、また、図示していないが、第２の識別体２９の上面には第４の留め部材が設置されており、第３の留め部材２６と第４の留め部材は符合するように構成されている。したがって、閉じた傘では、既存の傘バンド６を傘布に巻き付けて、第１の識別体２５の第３の留め部材２６に第２の識別体２９の第４の留め部材を留めることによって結束することができる。また、本第２の実施の形態の第２の変形例に係る傘留め具においては、第３の留め部材２６と第４の留め部材が符合すればよいので、既存の傘バンド６の基端部７及び先端部２７にそれぞれ設置される留め部材への符合を考慮する必要がなく、既存の傘バンド６の留め部材とは異なる留め部材を選定することが可能となる。
【００３８】
以上説明したように、変形例を含む第２の実施の形態においては、既存の傘バンドの基端部に第１の識別体を装着したり、先端部に第２の識別体を装着したり、あるいは、基端部及び先端部に第１の識別体及び第２の識別体をそれぞれ装着したりするので、既存の傘留め具を利用しつつ簡便に装飾性を付与することができる。この効果は傘の不使用時（傘布の結束時）のみならず、使用時においても同様に発揮される。
また、第１の識別体及び第２の識別体のデザインは様々な形状に形成可能であるので、使用者は好みのものを自由に選択することができ、傘を自分のセンスで装飾することが可能となる。さらに、装飾することによって、他の傘とは異なる外観を備えるので、視認性にも優れ、他の傘との識別が容易となる。
そして、識別体の装着は、既存の傘バンドの留め部材を利用して、既存の傘バンドの留め部材に対し符合する第１の留め部材や第２の留め部材を留めることによって行われるので簡単且つ素早く行うことができるので、着脱が容易であり、交換しやすいという利点がある。
また、既存の傘バンドを傘布に巻き付けて、既存の傘バンドの先端部又は基端部の留め部材に、第１の識別体の第３の留め部材又は第２の識別体の第４の留め部材を留めることによって、傘布を結束することができるので、既存の傘バンドを活用した優れた構成になっている。すなわち、第１の識別体の第１の留め部材を既存の傘バンドの基端部の留め部材に、第２の識別体の第２の留め部材を既存傘バンドの先端部の留め部材に留めても、第１の識別体の上面には既存の傘バンドの先端部の留め部材に符合する第３の留め部材が存在し、第２の識別体の上面にも既存の傘バンドの基端部の留め部材に符合する第４の留め部材が存在するので、識別体の上面と反対面の両方に既存の傘バンドの留め部材に符合する留め部材を備えていることになる。これによって、既存の傘バンドのすべてを利用しながら、識別体を装着することが可能で、傘布を結束することができることから、優れた構成といえるのである。
また、特に、既存の傘バンドの基端部及び先端部に第１の識別体及び第２の識別体をそれぞれ装着する場合では、第１の識別体の第３の留め部材と、第２の識別体の第４の留め部材を留めることにより、傘布を結束することができ、既存の傘バンドの留め部材の形態に関係なく、第３の留め部材及び第４の留め部材を選定することができる。従って、第１と第２の識別体の組合せの自由度が高まりデザイン性の向上を図ることも可能であり、装飾性と視認性をより高めることも可能である。さらに、本第２の実施の形態は、簡単な構成であるので、安価に提供することも可能となる。
なお、変形例を含む第２の実施の形態では、ハート形状や星形状の識別体を用いたが、このような形状に限定するものではなく、装飾性と視認性を備える形状や色彩を備えるものであれば、どのような形状であってもよい。また、第１の識別体と第２の識別体は必ずしも異なる形状でなくともよい。
【００３９】
次に、本発明の第３の実施の形態に係る傘留め具を図４に基づき説明する。
図４（ａ）は、第３の実施の形態に係る傘留め具の概念図であり、（ｂ）は同じく傘留め具の側面図である。
図４（ａ）において、本第３の実施の形態に係る傘留め具は、第１の識別体３０で構成され、第１の識別体３０は、既存の傘バンド６の基端部７の留め部材８と、先端部２７の留め部材２８の間に形成される直状部３１を、図中に点線で示されるスライド部材３２によって脱落することなくスライド可能に設置されている。第２の識別体３０は、ハート形状を備える被覆部材３３を具備しており、この被覆部材３３は、既存の傘バンド６の直状部３１を覆って、既存の傘バンド６を装飾することができる。
そして、図４（ｂ）において、第２の識別体３０の側面をみると、被覆部材３３が接着層３４を介してスライド部材３２に固定されている。なお、接着層３４は接着剤等であり、被覆部材３３とスライド部材３２を接着可能な材料で構成されている。
そして、スライド部材３２は、第１の挟持体３５、第２の挟持体３６、第１の挟持体３５と第２の挟持体３６を連結する連結部材３７、挟持部３８及び係止部材３９を備えている。挟持部３８は、図４（ａ）における既存の傘バンド６を挟持可能な間隙であって、第１の挟持体３５及び第２の挟持体３６に切欠によって形成されるものである。なお、挟持部３８は図示していないが、スライド部材３２を貫通して設けられるものである。
スライド部材３２においては、係止部材３９の係止を解除すると、第２の挟持体３６は連結部材３７を介して支持されながら第１の挟持体３５を開口させることができるので既存の傘バンドの直状部の挟み込みを解除できる。逆に、既存の傘バンドの直状部を挟持体３８に配置するように挟み込んで係止部材３９を係止することによって、既存の傘バンドの直状部をスライド部材３２に挟持させることができる。なお、本実施の形態における識別体の形状も同様にハード形状に限定するものではない。
【００４０】
このように構成された第３の実施の形態においては、既存の傘バンドの直状部に挟み込むことによって簡単に傘留め具を装着することができ、しかも、既存の傘バンドの直状部の一部を覆い、第２の実施の形態と比較して上面に留め部材がないので、装飾性及び視認性をより効果的に発揮することができる。したがって、傘の使用時にもこれらの効果を発揮し得るが、特に傘布を結束した場合には、傘の周方向の装飾性や視認性が卓越して、使用者は傘立て等から自分の傘を識別することが容易となる。また、傘留め具はスライド可能であるので、使用者は好きな位置に傘留め具を配置させることも可能となる。
【００４１】
最後に、本発明の第４の実施の形態に係る傘留め具を図５に基づき説明する。（特に、請求項４乃至請求項６に対応）
図５（ａ）は、第４の実施の形態に係る傘留め具の概念図であり、（ｂ）は同じく傘留め具の変形例を示す概念図である。
図５（ａ）において、本第４の実施の形態に係る傘留め具は、ネームプレート４０によって構成される。このネームプレート４０は、筒状に形成されており、筒状部分に点線で示される部分の既存の傘バンド６が挿通され、既存の傘バンド６の基端部７に設けられる留め部材８に、図示していないが、ネームプレート４０の反対面に設けられる第１の留め部材を留めて、既存の傘バンド６に装着されている。あるいは、ネームプレート４０に、第１の留め部材に代えて既存の傘バンド６の先端部２７の留め部材２８に対し符合する第３の留め部材（図示せず）を具備してもよいし、既存の傘バンド６の基端部７に設けられる留め部材８に符合する第１の留め部材を備えるネームプレート４０と、同じく先端部２７の留め部材２８に対し符合する第３の留め部材を備えるネームプレート４０の両方を備えてもよい。
このように構成される第４の実施の形態に係る傘留め具（ネームプレート４０）では、既存の傘バンド６及びネームプレート４０を傘布に巻着して第１の留め部材に既存の傘バンド６の基端部７の留め部材又は第３の留め部材に既存の傘バンド６の先端部２７の留め部材２８を留めることによって傘布を結束することができる。
また、ネームプレート４０は、既存の傘バンド６の直状部の少なくとも一部を覆う被覆部材であり、既存の傘バンド６を覆って視認性をより高めることが可能となる。そして、ネームプレート４０には、使用者の名前を書き込むことが可能であり、識別力に極めて優れた傘留め具となる。また、名前以外にもイラスト等を書き込むことも可能であり、文字が読めない幼児にはイラストによって識別させることもできるし、さらには、使用者独自のデザインを付与することもできる。
ネームプレート４０を形成する材料は、布やプラスチック等耐水性材料が好ましい。
なお、本実施の形態ではネームプレート４０としているが、既存の傘バンド６の直状部の少なくとも一部を覆う被覆部材であって装飾性や視認性を高めるものであれば、これに限定されることはない。  
【００４２】
次に、図５（ｂ）において、変形例に係る傘留め具は、図５（ａ）に示すネームプレート４０を既存の傘バンド６の直状部においてスライド可能に構成したものである。ネームプレート４１は、図５（ａ）におけるネームプレート４０の第１の留め部材や第３の留め部材に代えてスライド部材４２を具備しており、既存の傘バンド６から脱落することなく、装着することが可能になっている。スライド部材４２は、点線で示されているが、既存の傘バンド６の直状部を挿通可能な挿通孔を備えており、挿通孔に既存の傘バンド６の直状部を挿通させることによって、ネームプレート４１を脱落させることなく、スライド自在に保持することができる。したがって、使用者は、ネームプレート４１を既存の傘バンド６の好みの位置に配置させることが可能となる。
【００４３】
このように構成された第４の実施の形態においては、傘留め具が既存の傘バンドの直状部の一部を覆うネームプレートであり、結束された傘では、傘の周方向にネームプレートが示されるので、使用者は自分の名前を記入することによって、他の傘との識別を極めて容易とし、紛失や盗難の防止を図ることができる。特に、小学校等で指定された傘を用いる場合には、名前を書き入れることによって他の傘との区別が容易となる。この効果は傘立てに置かれている多数の傘から自分の傘を選ぶ場合に発揮されるほか、傘を使用している際にもネームプレートが垂れ下がることから、使用している児童の識別も可能となる。
また、ネームプレートをスライド可能に設置することもできるので、使用者の好む位置にネームプレートを設置することができる。また、スライド部材によって脱落することなく既存の傘バンドに容易に設置でき、しかも着脱が簡便であるので交換等において便利となる。
【００４４】
以上説明したように、本発明の請求項１乃至請求項６に記載された発明は、傘の使用時及び不使用時（傘布の結束時）のいずれの場合にも装飾性や視認性に優れた傘留め具を提供可能であり、一般家庭において使用される傘や各種施設等の置き傘等において利用可能である。
【符号の説明】
【００４５】
１…傘留め具  ２…識別体  ３…新規の傘バンド  ４…装飾体  ５…箱体  ６…既存の傘バンド  ７…基端部  ８…留め部材  ９…第１の留め部材  １０…収納部  １１…蓋部  １２…連結部材  １３ａ，１３ｂ…切欠部  １４ａ，１４ｂ…切欠部  １５…面ファスナー  １６…面ファスナー  １７…面ファスナー  １８…面ファスナー  １９…係止部材  ２０…傘留め具  ２１…第２の留め部材  ２３…傘留め具  ２４…第３の留め部材  ２５…第１の識別体  ２６…第３の留め部材  ２７…先端部  ２８…留め部材  ２９…第２の識別体  ３０…第１の識別体  ３１…直状部  ３２…スライド部材  ３３…被覆部材  ３４…接着層  ３５…第１の挟持体  ３６…第２の挟持体  ３７…連結部材  ３８…挟持部  ３９…係止部材  ４０…ネームプレート  ４１…ネームプレート  ４２…スライド部材
【要約】
【課題】既存の傘の傘バンドに着脱自在に装着可能で、傘の使用時においても不使用時においても視認性及び装飾性を十分に発揮できる傘留め具を提供することである。
【解決手段】傘布に設けられた既存の傘バンド６の基端部７に対し着脱可能に取り付けられる識別体２と、一端がこの識別体２と接続される新規の傘バンド３と、を備え、識別体２は、既存の傘バンド６を収容する収容部１０とこの収容部１０の開口端を開閉可能に設けられる蓋部１１から成る箱体５と、この箱体５に取り付けられる装飾体４と、から構成され、新規の傘バンド３の他端は、基端部７の留め部材８に対し符合する第１の留め部材９を備えるものである。
【選択図】図１【図１】
0005547330.tif 000002
【図２】
0005547330.tif 000003
【図３】
0005547330.tif 000004
【図４】
0005547330.tif 000005
【図５】
0005547330.tif 000006